(57)【要約】  海産食物／バイオマスを採集し、それを海産食物／バイオマス受け入れ船（３）へと搬送する手段を装備したトロール装置（１）。トロール（１）は、細長く、好ましくは剛性または可撓性の収集ケージ（５）を装備し、これは引き入れ開口（５’）にてトロールの後端（１’）に接続され、引き入れ開口から第２部分内へ延在し、これは壁（９、９’）、屋根（９”）および底部（９'''）によって画定され、水を漉すための開口を有し、下流部分（５”、５'''）で終了する。海産食物／バイオマスを収集ケージ（５）から船舶（３）へと搬送する搬送ホース、またはパイプ（４；１６、１６’）は、漏斗（１３；１７）を介してケージ（５）の下流または後部分（５”；５'''）に開放する。インゼクタ効果によって、海産食物／バイオマスを収集ケージ（５）から船舶（３）へと吸引させるために、空気または他の流体を、船舶（３）から注入用の供給ホース（６；１９）を介して搬送ホースへと供給する。装置は、長時間のトローリング中にトロールから船舶（３）へと海産食物／バイオマスを連続的に搬送するのに特に適している。【選択図】  図５
2007521012.tif 000002
【特許請求の範囲】
【請求項１】
海産食物／バイオマスを採集し、それを海産食物／バイオマス受け入れ船（３）へと搬送する手段を装備したトロール装置（１）であって、
−  トロール（１）が細長く、好ましくは剛性または可撓性の収集ケージ（５）を装備し、これは引き入れ開口（５’）にてトロールの後端（１’）に接続され、引き入れ開口から第２部分内へ延在し、これは壁（９、９’）、屋根（９”）および底部（９'''）によって画定され、水を漉すための開口を有し、下流部分（５”、５'''）で終了し、
−  海産食物／バイオマスを収集ケージ（５）から船舶（３）へと搬送する搬送ホース、またはパイプ（４；１６、１６’）が、漏斗（１３；１７）を介してケージ（５）の下流または後部分（５”；５'''）に開放し、
−  インゼクタ効果または流体変位技術によって、海産食物／バイオマスを収集ケージ（５）から船舶（３）へと吸引させるために、空気または他の流体を、船舶（３）から注入用の供給ホース（６；１９）を介して搬送ホースへと供給することを特徴とする装置。
【請求項２】
−  仕分けまたは篩い分けグリル（１２）が、収集ケージ（５）の引き入れ開口（５’）に設けられ、収集ケージ（５）内で内側および上側、下側および／または横側に斜めに延在するように配置構成され、
−  収集ケージ（５）の屋根、底部および／または壁の、グリル（１２）の下流端に配置された部分（１１）が開放し、したがって特定のサイズを超える例えば魚などの海産食物／バイオマスまたは異物はグリル（１２）を通過せず、少なくとも１つの開放部分（１１）を通って収集ケージ（５）から離れることを特徴とする、請求項１に記載の装置。
【請求項３】
−  水を漉すための前記壁、屋根および底部の口が、剛性または可撓性でよい自動清掃格子またはグリル構造で形成されることを特徴とする、請求項１または２に記載の装置。
【請求項４】
−  収集ケージの少なくとも１つの壁、屋根または底部分が、格子またはグリル構造の清掃を実行する機械的器具を装備することを特徴とする、請求項１または２に記載の装置。
【請求項５】
−  収集ケージ（５）が、接合した区間（１０）でモジュール式に構築されることを特徴とする、請求項１、２、３または４に記載の装置。
【請求項６】
−  漏斗がケージ（５）の内側にあり、漏斗（１７）がケージ（５）の後部壁（９””）に面して、そこから隔置されることを特徴とする、請求項１から５いずれか１つまたは複数項に記載の装置。
【請求項７】
−  空気または他の流体の供給物が、空気供給ホース（６）を介して、搬送ホースまたはパイプ（４）上の、搬送ホースまたはパイプ（４）が海面に向かって顕著な上向きの勾配を形成する区域に近い点で注入されるような構成であることを特徴とする、請求項１から６いずれか１項または複数項に記載の装置。
【請求項８】
−  空気または他の流体の供給物が、供給ホース（１９）を介して、搬送ホースまたはパイプ（１６）上の、海面に向かって顕著な上向きの勾配を形成する搬送ホースまたはパイプ（１６）の部分の上部区域にある点に接続された、好ましくは深さが調節可能なインゼクタ（２０）を介して注入するような構成であることを特徴とする、請求項１から６いずれか１項または複数項に記載の装置。
【請求項９】
−  収集ケージ（５）から船舶（３）への海産食物／バイオマスの搬送に関して、その後または最中に、収集ケージ（５）から船舶（３）へと搬送する間に随伴する海水から海産食物／バイオマスを分離するための濾過器具（１５’）を設けることを特徴とする、請求項１から８いずれか１項または複数項に記載の装置。
【請求項１０】
−  濾過器具に関して、搬送される海産食物／バイオマスの搬送速度を低下させるように設計した減速器具（１５）を設けることを特徴とする、請求項９に記載の装置。
【請求項１１】
−水中の収集ケージ（５）の位置／方向、深さ、水流などを監視するために、収集ケージ（５）上に、またはそれに関連してセンサ（２１）を設けることを特徴とする、請求項１から１０いずれか１項に記載の装置。
【発明の詳細な説明】
【技術分野】
【０００１】
本発明は、請求項１の序文でさらに詳細に定義されているように、海産食物／バイオマスを採集し、これを海産食物／バイオマス受け入れ船へと搬送する手段を装備したトロール装置に関する。
【背景技術】
【０００２】
トロール操作中、トロールは拡網板がある、または拡網板がない適合ラインを使用してトロール船の背後に牽引し、これによって魚、エビおよびオキアミおよび／または他の海産食物／バイオマスなどの海産食物／バイオマスがトロール袋内に採集される。このトロール袋が海産食物／バイオマスで多少充填された後、通常は船上にたぐり寄せて、空にする。あるいは、船と並んで浮いている間に、トロール袋またはサックを空にしてよい。例えばオキアミなど、何らかのタイプの海産食物／バイオマスは、トロールで採集され、海面へと運ばれた後、死んで即座に分解し始めるまでの寿命が短く、したがって素材としての価値が大幅に低下してしまう。一般に、全ての形態の海産食物／バイオマスにとって、その後の処理のために損傷なく、可能な限り迅速に船に揚げられることが重要である。このプロセスの遅れが、通常は海産食物／バイオマスの品質を大いに低下させてしまうからである。トロール袋で採集し、船上にたぐり寄せることによる手荒い扱いおよび混雑を経験する海産食物／バイオマスも、トロール袋が空のなった後、または船上で収集するためにトロール袋から機械的に汲み出されることにより、受ける損傷のせいで品質および価値が低下する。価値の低下は、魚卵、肝臓などの海産食物／バイオマスからの副産物にも広がる。従来の方法で採集される海産食物／バイオマスも、船上に揚げられた瞬間には大部分が死んでいる。
【０００３】
トロール船に関して、例えば大型魚などの海産食物／バイオマスおよび海洋動物の比較的大きい単位を分離できるように、仕分けグリルまたは篩い分けグリルをこのような袋に装備することが知られている。仕分けまたは篩い分けグリルの口が、トロール袋から篩い分けられる海洋動物または海産食物／バイオマスを決定する。同様のシステムを使用して水揚げから小型魚を分離する先行技術の解決法もある。
【０００４】
トロール袋の篩い分けした内容を海上の船舶へと直接汲み上げることができるように、トロール袋の端部に引き入れ開口がある機械的ポンプの解決法の異なる形態を使用することも、以前に示唆されているが、既知の解決法は、トロール袋の端部の圧縮および頻繁な閉塞のために、特に成功したわけではなかった。
【０００５】
先行技術をさらに例示するために、米国特許第１４４７５５３号および第３４４０７５２号、およびノルウェー特許第１０９８１１号、第３５５４４号、第１６６５１２号および第３１３２６１号の教示を参照する。
【発明の開示】
【発明が解決しようとする課題】
【０００６】
したがって、トロールで採集し、損傷がない生きた海産食物／バイオマスを、海産食物／バイオマス受け入れ船に搬送する効率を向上させることが大いに必要とされている。本発明は、あらゆる形態の魚類を含むオキアミ、エビおよび他のタイプの海産食物／バイオマスを採集し、搬送するために特に重要であり、ここでさらに処理し、船上で連続的に絶え間なく保存するための生産船への搬送は、連続的トローリングまたは長時間のトローリング中に制御した形態で実行することができる。
【課題を解決するための手段】
【０００７】
導入部で言及した装置は、添付請求項１の特徴付けの節で述べる形体によって特徴付けられる。
【０００８】
装置は、途切れないか、連続的または長時間にわたるトローリング中に有利に使用できることを特徴とし、海産食物／バイオマスも、長期間にわたって途切れないか、連続的な方法で受け入れ船へと搬送される。
【０００９】
装置の有利な実施形態は従属請求項で開示される。
【００１０】
次に、本発明を貼付図に関して説明する。
【発明を実施するための最良の形態】
【００１１】
図１では、参照番号１がトロールを示し、これはトロール開口（図示せず）を広げる拡網板または他の器具を付けた、または付けていない牽引ライン２の助けで、トロール船３の背後に牽引される。搬送ホース４がトロール船３から下方向にトロールへと延在し、その端部で収集ケージ５へと接続され、ケージ５の引き入れ端部５’はトロール１の後端１’に接続される。また、船３からは供給ホース６が提供され、これは下方向に延在し、ホース４上のトロールと船との間の任意の点４’で搬送ホース４に接続し、好ましくは図２で示すように接続する。あるいは、図４で示すように、搬送ホース４の後端４'''に近い点４”で接続することができ、これで供給ホースが図１の参照番号６’で示すように通ることができる。これは、例えば空気または海水などの流体を供給ホース６に通すように意図され、これは船舶３の方向で搬送ホース４内に導入すると、インゼクタ効果により収集ケージ５および搬送ホース４を介して海産食物／バイオマスを船舶へと吸い上げる。あるいは、流体の運動は、流体変位の原理を用いて実行することができる。図１では、供給ホース６が一部を破線で図示され、図４で示すように点４”で接続する例を示す。供給ホース６は、船舶３と接続点４”の間で切り離すこともできる。ホースおよびラインの取り扱いおよび配置構成の原理は変更することができる。
【００１２】
図２で拡大して示すように、錘７を搬送ホースに取り付けて、船舶３の背後の所定の位置に保持されるのを保証できるので有利である。これは当然、供給ホース６にも当てはまる。収集ケージの高さに対する錘の位置の調節は、無線センサおよびコンピュータ制御のウィンチを使用して自動的に実行することができる。
【００１３】
好ましくはトロールの開口端１’に配置構成された収集ケージ５は、図４で示すように、開放前端５’と漏斗８内に通る後端５”とを有する細長い本体の形態で作成する。壁９、９’および屋根９”および底部９'''を有する収集ケージ５を作成する。これらの壁、屋根および底部は、グリルまたは金網材料などの形態で作成することができ、このように設けた開口は、水を漉すのに適切である。壁および屋根および底部は、参照番号１０で示すように、区間でモジュール式に構築し、適切な方法で接合することができる。区間１０は、円形または多角形の断面を有すると有利である。収集ケージには、可動式または機械的清掃器具を装着することができ、これは図９で図示され、図１０の例の形態で示されている。
【００１４】
参照番号５’で示す収集ケージ５の開放前端には、所望／必要に応じて参照番号１１で示すような屋根がないケージ区間があり、したがってその区間の収集ケージ５は、収集ケージ５内で開口５’の底縁から内側および上側に延在するスクリーンまたはグリル１２と協働できるように、頂部で開放する。グリルの目的は、例えば魚などの海産食物／バイオマス、または特定のサイズを超える異物がグリルを通過しないが、開口１１を通って収集ケージ５から離れることになるのを保証することである。トロールに捕捉されるべきでない船が、自動的にトロールから仕分けされることも環境的要件である。グリルは、上述したように、ケージの屋根にある開口を通すか、あるいはケージの側部または底部を通して異物を誘導することができる。単純化したタイプでは、これを可能にするために、図４および図９で示したものに対してグリルを９０°または１８０°回転できることも想定可能である。異物を逸らすのを、例えば２つの側壁などを介して実行するように意図した場合、グリルはＶ字形を有することができる。
【００１５】
グリル１２に見られる開口を適切な寸法にすると、グリルは、所望の海産食物／バイオマス、例えばオキアミ、エビ、魚などより大きい全ての物体を仕分けるような構成にすることができる。図４で示すように前記漏斗８はダクト部分１３に入り、これはダクト１３の開口１３’が好ましくは収集ケージ５の長手方向に平行に配置されるように、適切に屈曲している。ダクト１３は、その箸部４'''で搬送ホース４に接続される。搬送ホース４は、上記で示したように、船舶３へと上がり、船舶３へと搬送される海産食物／バイオマスを船上で収集し、さらに処理するか、さらに加工し、保存することができる。船上では、搬送ホースおよび供給ホースを、心振れおよびスイベルを有するホース・ドラムにコイル巻きすることができ、これによって海産食物／バイオマスを船舶への搬送を継続しながら、ホースの長さを容易に調節することができる。船舶３への海産食物／バイオマスの搬送後、または搬送中に、途上で随伴する海水からこれを分離しなければならない。これは、必要に応じて、搬送速度を低下させる減速器具および参照番号１５で概略的に図示された海水用の適切なスクリーニング箱によって実行することができる。トロールが、水を通して牽引する間にこの方法で連続的に空にできることは、捕獲された海産食物／バイオマスが有する品質にとって極めて重要であり、その結果、最終製品の品質にも影響を及ぼす。
【００１６】
海産食物／バイオマスを連続的に、損傷を与えずに生きたまま船上に搬送することができるので、望ましくない海産食物／バイオマスを船上で即座に除去し、その後に損傷を与えず、生きたままの形態で海に戻すことも可能である。漁師は、捕獲品を良好に管理し、トロール袋で望ましくない海産食物／バイオマスを大量に捕獲することも防止する。
【００１７】
収集ケージ５の長手方向に延びる案内フィン１４、１４’は、収集ケージ５の外側に配置することが好ましいが、そうである必要はない。
【００１８】
採集し、船舶へと搬送すべき海産食物／バイオマスの最適な搬送状態を提供するために、船上の適切な器具によって搬送ホース４内に入るのが許容される空気または他の流体の量を最適化し、収集ケージ５の最も効率的な連続的排出を容易にする。
【００１９】
図１から図４に関連して図示し、説明した実施形態の変形を表す本発明のこれよりわずかに好ましい実施形態について、次に図５から図９に関してさらに詳細に説明し、図１から図４で示した実施形態と比較した構造的変化に主な焦点を絞る。図１から図４の実施形態で示したものと同じ設計または同じ機能を有する図５から図９の要素は、同じ参照番号が与えられ、以下ではさらに詳細には説明しない。
【００２０】
図５から図９は、収集ケージ５で採集した海産食物／バイオマスをトロール１を介してトロール船３へと搬送する搬送ホース１６を示す。図５および図８から、好ましい実施形態のホース１６がトロール１の下側に沿って延びていることが分かる。次に、図８および図９で示すように、ホースは収集ケージ５に入り、好ましくは搬送パイプ１６’の形態でその底部９'''に沿い、これは収集ケージの後部区間５'''で案内漏斗１７に入る。漏斗の開口は、収集ケージの後壁９””に面するので有利である。図７で示すように図１および図２の実施形態とちょうど同じように、搬送ホース１６を抑えるために、それに錘７を設け、錘の位置は、搬送チューブ１６がトロール方向である部分１６”から上方向に延在する部分１６'''へと行く区域にすることができるので有利である。錘７は、図１および図２で示したものに対応する接続ライン１８を介して船舶３に接続される。
【００２１】
流体、好ましくは空気を、搬送ホース４上の点４”または錘７の位置にある搬送ホース４上の点４’に供給ホース６を介して供給する図１、図３および図４で示した解決法と異なり、図５で図示した解決法では、供給ホース１９は、加圧状態で空気または他の流体をインゼクタ２０に供給し、これはトロール１および収集ケージ５が配置されている深さより非常に浅い深さにある手で搬送ホース１６に接続される。したがって、インゼクタ２０は、ホース１６の上方向に延在する部分１６'''の上部分に配置されることが分かる。インゼクタ２０によって、搬送ホース内に有意の吸引力が生成され、これは漏斗１７、搬送パイプ１６’および１６を介して収集ケージ５から船舶３へとインゼクタ２０を介して海産食物／バイオマスを引き上げるために、ほぼサイフォン効果を引き起こす。インゼクタ２０を図１で図示したより船舶１に非常に近づけて配置する大きい利点は、インゼクタへの空気または他の流体の搬送路が短くなり、したがって海産食物／バイオマスを船上に運ぶために供給ホース１９内に必要となる流体圧力に関して、要求量が小さくなり、したがってインゼクタへ空気または他の流体を供給するために必要な電力要求量が低下することである。海面からそれほど下でないことも、インゼクタ２０の検査、保守などに関して非常な利点となる。インゼクタを収集ケージに対して位置決めするレベルの調節は、無線センサおよびコンピュータ制御のウィンチを使用して自動的に実行することができる。
【００２２】
図１０は、回転式羽根車２２で構成された実現可能なケージ清掃器具２１の純粋に概略的な図であり、羽根２２’は、回転軸２３を中心に回転し、半円形カバー２４の下にある場合、水平であるか、収集ケージの隣接する壁、底部または屋根にほぼ平行であって、水の抵抗を低下させ、羽根２２’がカバーの前縁２４’から出ると、これはケージの隣接する壁、底部または屋根に対してほぼ直角に立つ。
【００２３】
導入部で言及したように、例えばオキアミおよび他のバイオマスの採集および搬送は、時間が非常に重要である。というのは、さらに処理し、加工すべきオキアミなどの品質は、死んでから加工を実行する前までの時間が長すぎることにより、容易に劣化するからである。生きている個体を船舶へ、それから直接に連続加工プロセスへと迅速に搬送することは、採集した海産食物／バイオマスのタンパク質含有量および品質が最適であり、既知の解決法で達成できるよりはるかに良好であることを保証するという効果を有する。これも導入部で言及したように、最初にトロール袋への採集中に混雑し、次にトロールを船上へたぐり寄せて空にする間に、あるいはトロールを機械的ポンプ作業で空にする場合にさらに混雑するオキアミまたは魚などの海産食物／バイオマスの品質も、記載の装置を使用することによって向上する。海産食物／バイオマスが収集および船舶への搬送中に受ける手荒い扱い／損傷がはるかに少なくなり、さらに生きているうちに船舶に到達するからである。
【００２４】
本発明は、例えばオキアミなどの収集および搬送に特に適しているが、装置は、これより大きい、または小さい個体寸法または形態を有する海産食物／バイオマスの任意の形態にも使用できることは明白である。したがって、本発明は、海洋での使用に制限されず、淡水または内水または湖でもそのまま容易に使用できることが明白である。
【００２５】
図面で図示した収集ケージ５の設計は、言うまでもなく収集ケージの設計および装備の方法、または作成するのに適切な材料に関して制限するものではない。例えば、センサの形態で本質的に知られている器具を提供することができ、これは水中での収集ケージの位置、深さ、流れなどを監視するために、例えば無線でもよい。
【００２６】
篩い分けグリル１２の使用について図示し、説明してきたが、状況によってはこれは必要でも望ましくもないことがある。
【図面の簡単な説明】
【００２７】
【図１】本発明による装置の第１の実施形態を使用するトロール作業の略図である。
【図２】図１で示した本発明による装置の細部を拡大して示す。
【図３】図１で示した本発明による装置の細部を拡大して示す。
【図４】図１および図３で示した本発明による装置の一体部品である収集ケージのさらなる細部を示す。
【図５】本発明による装置の第２の好ましい実施形態を使用するトロール作業の略図である。
【図６】図３で示した本発明による装置の細部を拡大して示す。
【図７】図３で示した本発明による装置の細部を拡大して示す。
【図８】図３で示した本発明による装置の細部を拡大して示す。
【図９】図５および図８で示した本発明による好ましい装置の一体部品である収集ケージのさらなる細部を示す。
【図１０】収集ケージに装着する清掃器具の例をさらに詳細に示す。
2007521012.tif 000003
【図４】
2007521012.tif 000004
【図５】
2007521012.tif 000005
2007521012.tif 000006
【図９】
2007521012.tif 000007
【図１０】
2007521012.tif 000008
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
海産食物／バイオマスを採集し、それを海産食物／バイオマス受け入れ船（３）へと搬送する手段とトロール（１）とを有するトロール装置であって、トロール（１）が細長く、剛性または可撓性の収集ケージ（５）を装備し、これは引き入れ開口（５’）にてトロールの後端領域（１’）に接続され、引き入れ開口から第２部分内へ延在し、これは水を漉すための開口を有し、下流部分（５”、５'''）で終了し、海産食物／バイオマスを収集ケージ（５）から船舶（３）へと搬送する搬送ホース、またはパイプ（４；１６、１６’）が、漏斗（１３；１７）を介してケージ（５）の下流または後部分（５”；５'''）に開放し、インゼクタ効果または流体変位技術によって、海産食物／バイオマスを収集ケージ（５）から船舶（３）へと運ぶために、空気または他の流体を、船舶（３）から注入用の供給ホース（６；１９）を介して搬送ホースへと供給し、仕分けグリル（１２）が漏斗に導かれるべきではない海産食物またはバイオマスを篩い分けするよう設けられるトロール装置であり、
空気または他の流体の供給物が、空気供給ホース（６; １９）を介して、海面に向かって顕著な上向きの勾配を形成する搬送ホースまたはパイプ（４；１６）の上部区域にあるインゼクタ（２０）により搬送ホースまたはパイプ（４;１６）上の地点に注入されるような構成であることを特徴とする、装置。
【請求項２】
インゼクタ（２０）は上部区域の所望の深さ位置に調整可能である、請求項１に記載の装置。
【請求項３】
仕分けまたは篩い分けグリル（１２）が、収集ケージ（５）の引き入れ開口（５’）に設けられ、収集ケージ（５）内で内側および上側、下側および／または横側に斜めに延在するように配置構成され、
収集ケージ（５）の屋根、底部および／または壁の、グリル（１２）の下流端に配置された部分（１１）が開放し、したがって特定のサイズを超える例えば魚などの海産食物／バイオマスまたは異物はグリル（１２）を通過せず、少なくとも１つの開放部分（１１）を通って収集ケージ（５）から離れることを特徴とする、請求項１に記載の装置。
【請求項４】
水を漉すための開口が、剛性または可撓性でよい自動清掃格子またはグリル構造で形成されることを特徴とする、請求項１、２または３に記載の装置。
【請求項５】
収集ケージの少なくとも１つの壁、屋根または底部分が、格子またはグリル構造の清掃を実行する機械的器具を装備することを特徴とする、請求項４に記載の装置。
【請求項６】
収集ケージ（５）が、接合した区間（１０）でモジュール式に構築されることを特徴とする、請求項１から５いずれか１つまたは複数項に記載の装置。
【請求項７】
漏斗がケージ（５）の内側にあり、漏斗（１７）の口がケージ（５）の閉じた後部壁（９””）に面して、そこから隔置されることを特徴とする、請求項１から６いずれか１つまたは複数項に記載の装置。
【請求項８】
収集ケージ（５）から船舶（３）への海産食物／バイオマスの搬送に関して、その後または最中に、収集ケージ（５）から船舶（３）へと搬送する間に随伴する海水から海産食物／バイオマスを分離するための濾過器具（１５’）を設け、濾過器具に関して、搬送される海産食物／バイオマスの搬送速度を低下させるように設計した減速器具（１５）を設けることを特徴とする、請求項１から７いずれか１項または複数項に記載の装置。
【請求項９】
水中の収集ケージ（５）の位置／方向、深さ、水流などを監視するために、収集ケージ（５）上に、またはそれに関連してセンサ（２１）を設けることを特徴とする、請求項１から８いずれか１項に記載の装置。
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
海産食物／バイオマス採集部材、トロールおよび海産食物／バイオマス・コンベヤを含むトロール装置であって、前記海産食物／バイオマス・コンベヤが、海産食物／バイオマスを前記トロールから船舶へと移送するために接続され、前記コンベヤがホースを含み、前記ホースが上部領域を有し、前記上部領域が界面に向かう上方向の勾配を有し、前記装置が、前記上方向の勾配を有する前記コンベヤの前記上部領域に装着されたインゼクタを含み、前記インゼクタが、前記海産食物／バイオマスを前記ホースに通してトロールから船舶へと前記上方向の勾配を介して押しやるように動作可能である。トロール装置。
【請求項２】
トロールが、細長い剛性または可撓性の収集ケージを有し、
前記収集ケージが、（ａ）剛性収集ケージと（ｂ）可撓性収集ケージとで校正された収集ケージの組から選択され、
前記細長い収集ケージが第１部分を有し、前記第１部分が引き入れ開口を含み、
前記引き入れ開口が前記トロールの後方に配置されて、それに接続され、
前記収集ケージが第２部分を有し、前記引き入れ開口が前記第２部分内へと至り、
前記第２部分が自身内に開口を有し、前記開口が、水を漉すように動作可能であり、
前記収集ケージが、前記第２部分の下流に装着された第３部分を有し、漏斗が前記下流部分に接続され、
篩い分けグリルが前記漏斗の上流に装着されて、漏斗へと案内されない海産食物またはバイオマスを除去し、
搬送ホースが前記漏斗に接続され、前記搬送ホースが、海産食物／バイオマスを受け入れ船に搬送するように装着され、
流体供給ホースが、船舶から供給された流体を搬送ホースへとインゼクタを介して注入し、海産食物／バイオマスを前記収集ケージから船舶へと通すように装着される、請求項１に記載のトロール装置。
【請求項３】
インゼクタが、インゼクタ効果または流体変位技術を提供して、海産食物／バイオマスを収集ケージから船舶へと運び上げる、請求項１または２に記載のトロール装置。
【請求項４】
インゼクタが、前記上部区域内の必要な位置に配置されるように深さの調節が可能である、請求項１、２または３に記載の装置。
【請求項５】
前記仕分けまたは篩い分けグリルが、収集ケージの引き入れ開口に設けられ、収集ケージ内で斜めに内向き、上向き、下向きおよび／横向きに延在するように配置構成され、グリルの下流箸に配置された収集ケージの屋根、底部および／または壁の部分が開放し、したがって特定のサイズを上回る魚などの海産食物／バイオマス、または異物がグリルを通過せず、少なくとも１つの部分を通って収集ケージから離れる、請求項２に記載の装置。
【請求項６】
水を漉すための開口が、自動洗浄式格子またはグリル構造で構成される、請求項２に記載の装置。
【請求項７】
収集ケージの少なくとも１つの壁、屋根または底部の部分が、格子またはグリル構造の洗浄を実行する機械的器具を装備する、請求項２または５に記載の装置。
【請求項８】
収集ケージを、接合した区間でモジュール式に構築する、請求項２または５に記載の装置。
【請求項９】
漏斗がケージの内側にあり、漏斗の口がケージの閉鎖した後部壁に面し、そこから隔置される、請求項２に記載の装置。
【請求項１０】
収集ケージから船舶への海産食物／バイオマスの搬送に関して、その後またはその最中に、収集ケージから船舶へと搬送する間に随伴する海水から海産食物／バイオマスを分離するための濾過器具を設け、
濾過器具に関して、搬送される海産食物／バイオマスの搬送速度を低下させるように設計した減速器具を設ける、請求項１から９いずれか１項に記載の装置。
【国際調査報告】
2007521012.tif 000009
2007521012.tif 000010
2007521012.tif 000011